(57)【要約】【課題】閉塞部材を箱体に連結させる連結部材にドレンが接触することを抑制する。【解決手段】二次熱交換器１０では、第１伝熱管部１２と第１閉塞部材５０とが一体的に組み付けられた第１組付体９０が、第２開口部４０から箱体３１内に複数の第１伝熱管８０を挿入する構成且つ第２開口部４０を第１閉塞部材５０によって閉塞する構成で配置されつつ、第１連結部材５４によって第１閉塞部材５０が箱体３１の周壁部３６に固定される。二次熱交換器１０には、複数の第１伝熱管８０の第１屈曲部８４が第１閉塞部材５０に近接しつつ上下に重なって配置される第１重なり部９１が１以上設けられる。第１閉塞部材５０の下端側の領域であって、且つ前後方向において第１貫通孔群６１に最も近い第１重なり部９１と第１貫通孔群６１との間の第１領域ＡＲ１に、少なくとも１つの第１連結部材５４が固定されている。【選択図】図１３
2020165601.tif 000002
【特許請求の範囲】
【請求項１】
上端部に第１開口部が設けられた本体部と、前記第１開口部を閉塞する構成で前記本体部に取り付けられる蓋部と、を備える箱体を有し、前記箱体内が排気ガスの通過空間として構成されたケースと、
前記ケース内に収容される複数の伝熱管を備える伝熱管部と、
を有するガス器具用の潜熱回収型熱交換器であって、
前記本体部は、
前記通過空間を囲む周壁部と、
前記周壁部の下端側に設けられる底壁部と、
を有し、
前記周壁部において、前後方向一方側に排気ガスの排出口部が設けられ、前後方向他方側に前記通過空間を通過する排気ガスの流入口部が設けられ、左右方向一方側に第２開口部が設けられており、
前記ケースは、
前記第２開口部を閉塞する板状の閉塞部材と、
前記閉塞部材と前記周壁部とを連結する連結部材と、
を有し、
前記閉塞部材は、複数の第１貫通孔を備える第１貫通孔群と、複数の第２貫通孔を備える第２貫通孔群と、が設けられ、前記第１貫通孔群と前記第２貫通孔群とが前記前後方向に離れて配置され、
複数の前記伝熱管は、各々の前記前後方向一方側が前記第１貫通孔群の各々の前記第１貫通孔と対応して取り付けられ、各々の前記前後方向他方側が前記第２貫通孔群の各々の前記第２貫通孔と対応して取り付けられ、各々の屈曲部が前記閉塞部材に近接して配置される構成で前記閉塞部材に固定され、
前記伝熱管部と前記閉塞部材とが一体的に組み付けられた組付体が、前記第２開口部から前記箱体内に複数の前記伝熱管を挿入する構成且つ前記第２開口部を前記閉塞部材によって閉塞する構成で配置されつつ、前記連結部材によって前記閉塞部材が前記周壁部に固定されており、
複数の前記伝熱管の前記屈曲部が前記閉塞部材に近接しつつ上下に重なって配置される重なり部が１以上設けられ、
前記閉塞部材の下端側の領域であって、且つ前記前後方向において前記第１貫通孔群に最も近い前記重なり部と前記第１貫通孔群との間の領域に、少なくとも１つの前記連結部材が固定されているガス器具用の潜熱回収型熱交換器。
【請求項２】
前記閉塞部材の下端側の領域であって、且つ前記前後方向において前記第２貫通孔群に最も近い前記重なり部と前記第２貫通孔群との間の領域に、少なくとも１つの前記連結部材が固定されている請求項１に記載のガス器具用の潜熱回収型熱交換器。
【請求項３】
前記閉塞部材は、上下方向及び前記前後方向に沿って配置される板状部と、前記板状部よりも前記左右方向の外側に向かって膨らんだ膨らみ部と、を有し、
前記重なり部は、前記膨らみ部に近接している請求項１または請求項２に記載のガス器具用の潜熱回収型熱交換器。
【請求項４】
前記重なり部は、前記膨らみ部内に入り込んでいる請求項１から請求項３のいずれか一項に記載のガス器具用の潜熱回収型熱交換器。
【請求項５】
前記閉塞部材の上流側の領域であって、且つ前記前後方向において前記第１貫通孔群に最も近い前記重なり部と前記第２貫通孔群に最も近い重なり部との間の領域に、少なくとも１つの前記連結部材が固定されている請求項２に記載のガス器具用の潜熱回収型熱交換器。
【請求項６】
上端部に第１開口部が設けられた本体部と、前記第１開口部を閉塞する構成で前記本体部に取り付けられる蓋部と、を備える箱体を有し、前記箱体内が排気ガスの通過空間として構成されたケースと、
前記ケース内に収容される複数の第１伝熱管を備える第１伝熱管部と、
前記ケース内に収容される複数の第２伝熱管を備える第２伝熱管部と、
を有するガス器具用の潜熱回収型熱交換器であって、
前記本体部は、
前記通過空間を囲む周壁部と、
前記周壁部の下端側に設けられる底壁部と、
を有し、
前記周壁部において、前記前後方向一方側に排気ガスの排出口部が設けられ、前記前後方向他方側に前記通過空間を通過する排気ガスの流入口部が設けられ、左右方向一方側に第２開口部が設けられており、前記左右方向他方側に第３開口部が設けられており、
前記ケースは、
前記第２開口部を閉塞する板状の第１閉塞部材と、
前記第３開口部を閉塞する板状の第２閉塞部材と、
前記第１閉塞部材と前記周壁部とを連結する第１連結部材と、
前記第２閉塞部材と前記周壁部とを連結する第２連結部材と、
を有し、
前記第１閉塞部材は、複数の第１貫通孔を備える第１貫通孔群と、複数の第２貫通孔を備える第２貫通孔群と、が設けられ、前記第１貫通孔群と前記第２貫通孔群とが前記前後方向に離れて配置され、
前記第２閉塞部材は、複数の第３貫通孔を備える第３貫通孔群と、複数の第４貫通孔を備える第４貫通孔群と、が設けられ、前記第３貫通孔群と前記第４貫通孔群とが前記前後方向に離れて配置され、
複数の前記第１伝熱管は、各々の前記前後方向一方側が前記第１貫通孔群の各々の前記第１貫通孔と対応して取り付けられ、各々の前記前後方向他方側が前記第２貫通孔群の各々の前記第２貫通孔と対応して取り付けられ、各々の屈曲部である第１屈曲部が前記第１閉塞部材に近接して配置される構成で前記第１閉塞部材に固定され、
複数の前記第２伝熱管は、各々の前記前後方向一方側が前記第３貫通孔群の各々の前記第３貫通孔と対応して取り付けられ、各々の前記前後方向他方側が前記第４貫通孔群の各々の前記第４貫通孔と対応して取り付けられ、各々の屈曲部である第２屈曲部が前記第２閉塞部材に近接して配置される構成で前記第２閉塞部材に固定され、
前記第１伝熱管部と前記第１閉塞部材とが一体的に組み付けられた第１組付体が、前記第２開口部から前記箱体内に複数の前記第１伝熱管を挿入する構成且つ前記第２開口部を前記第１閉塞部材によって閉塞する構成で配置されつつ、前記第１連結部材によって前記第１閉塞部材が前記周壁部に固定されており、
前記第２伝熱管部と前記第２閉塞部材とが一体的に組み付けられた第２組付体が、前記第３開口部から前記箱体内に複数の前記第２伝熱管を挿入する構成且つ前記第３開口部を前記第２閉塞部材によって閉塞する構成で配置されつつ、前記第２連結部材によって前記第２閉塞部材が前記周壁部に固定されており、
複数の前記第１伝熱管の前記第１屈曲部が前記第１閉塞部材に近接しつつ上下に重なって配置される第１重なり部が１以上設けられ、
複数の前記第２伝熱管の前記第２屈曲部が前記第２閉塞部材に近接しつつ上下に重なって配置される第２重なり部が１以上設けられ、
前記第１閉塞部材の下端側の領域であって、且つ前記前後方向において前記第１貫通孔群に最も近い前記第１重なり部と前記第１貫通孔群との間の領域に、少なくとも１つの前記第１連結部材が固定されており、
前記第２閉塞部材の下端側の領域であって、且つ前記前後方向において前記第３貫通孔群に最も近い前記第２重なり部と前記第３貫通孔群との間の領域に、少なくとも１つの前記第２連結部材が固定されているガス器具用の潜熱回収型熱交換器。
【発明の詳細な説明】
【技術分野】
【０００１】
本発明は、ガス器具用の潜熱回収型熱交換器に関するものである。
【背景技術】
【０００２】
従来、給湯装置等のガス器具用の熱交換器として、内部に水が通る伝熱管部を有し、排気ガス（燃焼排気）に含まれる潜熱を通水に伝達するように熱交換する潜熱回収型熱交換器が知られている。例えば、特許文献１が開示する潜熱回収型熱交換器は、内部が排気ガス（燃焼排気）の通路となるケーシングと、このケーシング内に収容される伝熱管部（吸熱管）とを備えている。ケーシングは、左右両端に開口する箱体（ケース本体）と、箱体（ケース本体）の左右両端を閉塞する一対の閉塞部材（側板）とを有する。伝熱管部（吸熱管）は、自身の両端部のそれぞれが、一対の閉塞部材（側板）のうち一方の閉塞部材（側板）に形成された挿通孔に挿通された状態で閉塞部材（側板）にロウ付けされる。閉塞部材（側板）にロウ付けされた伝熱管部（吸熱管）は、ケース本体の開口部から収容され、一対の閉塞部材（側板）の各々は、箱体（ケース本体）の両開口部の各々の周囲に溶接される。これにより、潜熱回収型熱交換器が作製される。
【先行技術文献】
【特許文献】
【０００３】
【特許文献１】特開２０１７−２６２８６号公報
【発明の概要】
【発明が解決しようとする課題】
【０００４】
上述した特許文献１の潜熱回収型熱交換器では、閉塞部材（側板）が溶接によって箱体（ケース本体）に固定されるが、ねじなどの連結部材を用いて閉塞部材（側板）を箱体（ケース本体）に固定可能とすれば組み付け作業が容易となる。
【０００５】
しかし、潜熱回収型熱交換器では、潜熱を回収したときに伝熱管部（吸熱管）の表面にドレンが付着するようになっており、このドレンは、伝熱管部（吸熱管）から潜熱回収型熱交換器の底板に垂れると、底板に形成されたドレン孔から排出される。このため、連結部材を用いて閉塞部材（側板）を箱体（ケース本体）に固定する構成を採用した場合、伝熱管部から垂れたドレンが連結部材に接触することによる劣化や腐食等が懸念される。
【０００６】
本発明は上述した課題の少なくとも一つを解決するためになされたものであり、閉塞部材を箱体に連結させる連結部材にドレンが接触することを抑制することが可能なガス器具用の潜熱回収型熱交換器を提供することを目的とする。
【課題を解決するための手段】
【０００７】
本発明の第１の例であるガス器具用の潜熱回収型熱交換器は、
上端部に第１開口部が設けられた本体部と、前記第１開口部を閉塞する構成で前記本体部に取り付けられる蓋部と、を備える箱体を有し、前記箱体内が排気ガスの通過空間として構成されたケースと、
前記ケース内に収容される複数の伝熱管を備える伝熱管部と、
を有するガス器具用の潜熱回収型熱交換器であって、
前記本体部は、
前記通過空間を囲む周壁部と、
前記周壁部の下端側に設けられる底壁部と、
を有し、
前記周壁部において、前後方向一方側に排気ガスの排出口部が設けられ、前後方向他方側に前記通過空間を通過する排気ガスの流入口部が設けられ、左右方向一方側に第２開口部が設けられており、
前記ケースは、
前記第２開口部を閉塞する板状の閉塞部材と、
前記閉塞部材と前記周壁部とを連結する連結部材と、
を有し、
前記閉塞部材は、複数の第１貫通孔を備える第１貫通孔群と、複数の第２貫通孔を備える第２貫通孔群と、が設けられ、前記第１貫通孔群と前記第２貫通孔群とが前記前後方向に離れて配置され、
複数の前記伝熱管は、各々の前記前後方向一方側が前記第１貫通孔群の各々の前記第１貫通孔と対応して取り付けられ、各々の前記前後方向他方側が前記第２貫通孔群の各々の前記第２貫通孔と対応して取り付けられ、各々の屈曲部が前記閉塞部材に近接して配置される構成で前記閉塞部材に固定され、
前記伝熱管部と前記閉塞部材とが一体的に組み付けられた組付体が、前記第２開口部から前記箱体内に複数の前記伝熱管を挿入する構成且つ前記第２開口部を前記閉塞部材によって閉塞する構成で配置されつつ、前記連結部材によって前記閉塞部材が前記周壁部に固定されており、
複数の前記伝熱管の前記屈曲部が前記閉塞部材に近接しつつ上下に重なって配置される重なり部が１以上設けられ、
前記閉塞部材の下端側の領域であって、且つ前記前後方向において前記第１貫通孔群に最も近い前記重なり部と前記第１貫通孔群との間の領域に、少なくとも１つの前記連結部材が固定されている。
【０００８】
本発明の第２の例であるガス器具用の潜熱回収型熱交換器は、
上端部に第１開口部が設けられた本体部と、前記第１開口部を閉塞する構成で前記本体部に取り付けられる蓋部と、を備える箱体を有し、前記箱体内が排気ガスの通過空間として構成されたケースと、
前記ケース内に収容される複数の第１伝熱管を備える第１伝熱管部と、
前記ケース内に収容される複数の第２伝熱管を備える第２伝熱管部と、
を有するガス器具用の潜熱回収型熱交換器であって、
前記本体部は、
前記通過空間を囲む周壁部と、
前記周壁部の下端側に設けられる底壁部と、
を有し、
前記周壁部において、前記前後方向一方側に排気ガスの排出口部が設けられ、前記前後方向他方側に前記通過空間を通過する排気ガスの流入口部が設けられ、左右方向一方側に第２開口部が設けられ、前記左右方向他方側に第３開口部が設けられており、
前記ケースは、
前記第２開口部を閉塞する板状の第１閉塞部材と、
前記第３開口部を閉塞する板状の第２閉塞部材と、
前記第１閉塞部材と前記周壁部とを連結する第１連結部材と、
前記第２閉塞部材と前記周壁部とを連結する第２連結部材と、
を有し、
前記第１閉塞部材は、複数の第１貫通孔を備える第１貫通孔群と、複数の第２貫通孔を備える第２貫通孔群と、が設けられ、前記第１貫通孔群と前記第２貫通孔群とが前記前後方向に離れて配置され、
前記第２閉塞部材は、複数の第３貫通孔を備える第３貫通孔群と、複数の第４貫通孔を備える第４貫通孔群と、が設けられ、前記第３貫通孔群と前記第４貫通孔群とが前記前後方向に離れて配置され、
複数の前記第１伝熱管は、各々の前記前後方向一方側が前記第１貫通孔群の各々の前記第１貫通孔と対応して取り付けられ、各々の前記前後方向他方側が前記第２貫通孔群の各々の前記第２貫通孔と対応して取り付けられ、各々の屈曲部である第１屈曲部が前記第１閉塞部材に近接して配置される構成で前記第１閉塞部材に固定され、
複数の前記第２伝熱管は、各々の前記前後方向一方側が前記第３貫通孔群の各々の前記第３貫通孔と対応して取り付けられ、各々の前記前後方向他方側が前記第４貫通孔群の各々の前記第４貫通孔と対応して取り付けられ、各々の屈曲部である第２屈曲部が前記第２閉塞部材に近接して配置される構成で前記第２閉塞部材に固定され、
前記第１伝熱管部と前記第１閉塞部材とが一体的に組み付けられた第１組付体が、前記第２開口部から前記箱体内に複数の前記第１伝熱管を挿入する構成且つ前記第２開口部を前記第１閉塞部材によって閉塞する構成で配置されつつ、前記第１連結部材によって前記第１閉塞部材が前記周壁部に固定されており、
前記第２伝熱管部と前記第２閉塞部材とが一体的に組み付けられた第２組付体が、前記第３開口部から前記箱体内に複数の前記第２伝熱管を挿入する構成且つ前記第３開口部を前記第２閉塞部材によって閉塞する構成で配置されつつ、前記第２連結部材によって前記第２閉塞部材が前記周壁部に固定されており、
複数の前記第１伝熱管の前記第１屈曲部が前記第１閉塞部材に近接しつつ上下に重なって配置される第１重なり部が１以上設けられ、
複数の前記第２伝熱管の前記第２屈曲部が前記第２閉塞部材に近接しつつ上下に重なって配置される第２重なり部が１以上設けられ、
前記第１閉塞部材の下端側の領域であって、且つ前記前後方向において前記第１貫通孔群に最も近い前記第１重なり部と前記第１貫通孔群との間の領域に、少なくとも１つの前記第１連結部材が固定されており、
前記第２閉塞部材の下端側の領域であって、且つ前記前後方向において前記第３貫通孔群に最も近い前記第２重なり部と前記第３貫通孔群との間の領域に、少なくとも１つの前記第２連結部材が固定されている。
【発明の効果】
【０００９】
上記第１の例であるガス器具用の潜熱回収型熱交換器によれば、排気ガスに含まれる潜熱を、伝熱管部内を通る水に伝達することで加熱することができる。
また、この潜熱回収型熱交換器では、複数の伝熱管の各々の前後方向一方側が第１貫通孔群の各々の第１貫通孔と対応して取り付けられるので、各々の伝熱管の表面に付着したドレンが各々の第１貫通孔付近から閉塞部材の内側面を伝って垂れやすい。更に、複数の伝熱管の屈曲部が閉塞部材に近接しつつ上下に重なって配置される重なり部では、上側の伝熱管の表面に付着したドレンが下側の伝熱管を伝って垂れやすい。しかし、本構成では、閉塞部材の下端側の領域であって、前後方向において第１貫通孔群に最も近い重なり部と第１貫通孔群との間の領域に、少なくとも１つの連結部材が固定されている。このため、少なくともこの連結部材は、伝熱管の表面から垂れたドレンが接触することを回避しつつ、閉塞部材の下端側を固定することができる。したがって、この潜熱回収型熱交換器によれば、閉塞部材を箱体に連結させる連結部材にドレンが接触することを抑制することができる。
【００１０】
上記第２の例であるガス器具用の潜熱回収型熱交換器によれば、排気ガスに含まれる潜熱を、第１伝熱管部内及び第２伝熱管部内を通る水に伝達することで加熱することができる。
また、この潜熱回収型熱交換器では、複数の第１伝熱管の各々の前後方向一方側が第１貫通孔群の各々の第１貫通孔と対応して取り付けられるので、各々の第１伝熱管の表面に付着したドレンが各々の第１貫通孔付近から第１閉塞部材の内側面を伝って垂れやすい。更に、複数の第１伝熱管の第１屈曲部が第１閉塞部材に近接しつつ上下に重なって配置される第１重なり部では、上側の第１伝熱管の表面に付着したドレンが下側の第１伝熱管を伝って垂れやすい。しかし、本構成では、第１閉塞部材の下端側の領域であって、前後方向において第１貫通孔群に最も近い第１重なり部と第１貫通孔群との間の領域に、少なくとも１つの第１連結部材が固定されている。このため、少なくともこの第１連結部材は、第１伝熱管の表面から垂れたドレンが接触することを回避しつつ、第１閉塞部材の下端側を固定することができる。
更に、この潜熱回収型熱交換器では、複数の第２伝熱管の各々の前後方向一方側が第３貫通孔群の各々の第３貫通孔と対応して取り付けられるので、各々の第２伝熱管の表面に付着したドレンが各々の第３貫通孔付近から第２閉塞部材の内側面を伝って垂れやすい。更に、複数の第２伝熱管の第２屈曲部が第２閉塞部材に近接しつつ上下に重なって配置される第２重なり部では、上側の第２伝熱管の表面に付着したドレンが下側の第２伝熱管を伝って垂れやすい。しかし、本構成では、第２閉塞部材の下端側の領域であって、前後方向において第３貫通孔群に最も近い第２重なり部と第３貫通孔群との間の領域に、少なくとも１つの第２連結部材が固定されている。このため、少なくともこの第２連結部材は、第２伝熱管の表面から垂れたドレンが接触することを回避しつつ、第２閉塞部材の下端側を固定することができる。
したがって、この潜熱回収型熱交換器によれば、第１閉塞部材を箱体に連結させる第１連結部材にドレンが接触することを抑制することができ、且つ第２閉塞部材を箱体に連結させる第２連結部材にドレンが接触することを抑制することができる。
【図面の簡単な説明】
【００１１】
【図１】図１は、実施例１の給湯装置の内部構造を概略的に例示した正面図である。
【図２】図２は、給湯装置の構成を概念的に例示した説明図である。
【図３】図３は、二次熱交換器を概略的に例示した斜視図である。
【図４】図４は、二次熱交換器を概略的に例示した分解斜視図である。
【図５】図５は、本体部を概略的に例示した斜視図である。
【図６】図６は、二次熱交換器における左右方向の一方側を概略的に例示した分解斜視図である。
【図７】図７は、第１伝熱管を概略的に例示した平面図である。
【図８】図８は、二次熱交換器における左右方向の他方側を概略的に例示した分解斜視図である。
【図９】図９は、第２伝熱管を概略的に例示した平面図である。
【図１０】図１０は、二次熱交換器の製造工程を例示したフローチャートである。
【図１１】図１１は、第１組付体及び第２組付体を本体部に取り付ける前の状態を例示した説明図である。
【図１２】図１２は、第１組付体及び第２組付体が本体部に取り付けられた状態において、上下方向及び左右方向に沿った平面で切断した切断面を前後方向の一方側から見た様子を例示した断面図である。
【図１３】図１３は、前後方向において第１貫通孔群に最も近い第１重なり部と第１貫通孔群との間の領域に第１連結部材が固定されている状態を上方から見た様子を例示した説明図である。
【図１４】図１４は、前後方向において第２貫通孔群に最も近い第２重なり部と第２貫通孔群との間の領域に第２連結部材が固定されている状態を上方から見た様子を例示した説明図である。
【発明を実施するための形態】
【００１２】
＜実施例１＞
以下、実施例１について、図１〜図１４を参照して説明する。
（給湯装置１の構成）
図１及び図２で示す給湯装置１は、第１ガスバーナ２、入水管４、出湯管６、熱交換器８、第１連結管１５などを備えており、外部から供給された水道水を加熱して出湯させる機能を有する。第１ガスバーナ２（給湯バーナ）は、燃焼ガスを燃焼させて燃焼排気（排気ガス）を発生させる部分である。入水管４は、水入口１６からの水が流れ込む経路として構成され、出湯管６は、出湯口１８へ湯を送り出す経路として構成されている。熱交換器８は、入水管４と出湯管６との間に介在する給湯側伝熱管部１１を備えており、給湯側伝熱管部１１の内部を通る水に対して第１ガスバーナ２での燃焼によって生じた熱を伝えるように機能する部分である。
【００１３】
熱交換器８は、一次熱交換器９及び二次熱交換器１０を備えており、一次熱交換器９は、第１ガスバーナ２の燃焼排気経路の上流側に配置され、二次熱交換器１０は、燃焼排気経路の下流側に配置されている。給湯側伝熱管部１１は、第１伝熱管部１２及び第３伝熱管部１３を備えており、第１伝熱管部１２は二次熱交換器１０に備えられており、第３伝熱管部１３は一次熱交換器９に備えられている。入水管４の下流側には、二次熱交換器１０の第１伝熱管部１２が接続されており、第１伝熱管部１２の下流側には、第１連結管１５が接続されている。第１連結管１５の下流側には、一次熱交換器９の第３伝熱管部１３が接続されており、第３伝熱管部１３の下流側には、出湯管６が接続されている。
【００１４】
熱交換器８は、一次熱交換器９によって燃焼排気の顕熱を回収した後、二次熱交換器１０によって潜熱を回収するように機能する。一次熱交換器９は、第３伝熱管部１３内を通る水に対して第１ガスバーナ２で発生した燃焼排気に含まれる燃焼熱を伝熱し、顕熱の熱エネルギーを通水に伝達する形で熱交換する。二次熱交換器１０は、第１伝熱管部１２内を通る水に対し、第１ガスバーナ２で発生した燃焼排気が一次熱交換器９を通過した後の燃焼熱を伝熱し、潜熱の熱エネルギーを通水に伝達するように熱交換する。
【００１５】
給湯装置１は、第２ガスバーナ１０２、往き配管１０４、戻り配管１０６、第２連結管１１５などを備えており、上述した熱交換器８を利用して風呂の追い炊き等を行う機能を有する。第２ガスバーナ１０２（風呂バーナ）は、燃焼ガスを燃焼させて燃焼排気（排気ガス）を発生させる部分である。往き配管１０４は、入口１１６を介して浴槽２０側からの水を熱交換器８へと導く経路である。戻り配管１０６は、熱交換器８からの水を、出口１１８を介して浴槽２０側へと導く経路である。上述した熱交換器８は、往き配管１０４と戻り配管１０６との間に介在する風呂側伝熱管部１１１を備えており、風呂側伝熱管部１１１の内部を通る水に対して第２ガスバーナ１０２での燃焼によって生じた熱を伝えるように機能する。
【００１６】
風呂側伝熱管部１１１は、第２伝熱管部１１２及び第４伝熱管部１１３を備えており、第２伝熱管部１１２は二次熱交換器１０に備えられており、第４伝熱管部１１３は一次熱交換器９に備えられている。往き配管１０４の下流側には、二次熱交換器１０の第２伝熱管部１１２が接続されており、第２伝熱管部１１２の下流側には、第２連結管１１５が接続されている。第２連結管１１５の下流側には、一次熱交換器９の第４伝熱管部１１３が接続されており、この伝熱管部の下流側には、戻り配管１０６が接続されている。
【００１７】
上述した一次熱交換器９は、第４伝熱管部１１３内を通る水に対して第２ガスバーナ１０２で発生した燃焼排気に含まれる燃焼熱を伝熱し、顕熱の熱エネルギーを通水に伝達する形で熱交換する。また、二次熱交換器１０は、第２伝熱管部１１２内を通る水に対し、第２ガスバーナ１０２で発生した燃焼排気が一次熱交換器９を通過した後の燃焼熱を伝熱し、潜熱の熱エネルギーを通水に伝達するように熱交換する。
【００１８】
また、給湯装置１は、ドレン配管２２及び中和器２４を備える。ドレン配管２２は、上流側が二次熱交換器１０のドレン継手２６（図３参照）に接続されており、下流側が中和器２４に接続されている。二次熱交換器１０において潜熱の回収によって生じたドレンは、ドレン孔４９（図１２参照）を介して二次熱交換器１０の外部に排出され、ドレン配管２２を通じて中和器２４に送られる。
【００１９】
給湯装置１は、制御装置としてのコントローラ２８を備える。コントローラ２８は、例えば、公知のマイクロコンピュータ等として構成されており、給湯装置１に設けられた様々なセンサからの信号を取得可能に構成されており、給湯装置１に設けられた様々なアクチュエータを制御し得る構成となっている。例えば、給湯装置１は、図示しない通水センサによって入水管４内の通水を検知した場合に、第１ガスバーナ２を動作させて湯を生成することを行う。別の例として、給湯装置１は、図示しない通水センサによって往き配管１０４内の通水を検知した場合に、第２ガスバーナ１０２を動作させて風呂の追い炊き等を行う。
【００２０】
（二次熱交換器１０の構成）
次に、図３〜図９を用いて、二次熱交換器１０の構成について説明する。なお、本実施例では、第１伝熱管８０の配列方向（伝熱管の配列方向）を二次熱交換器１０の上下方向とし、給湯装置１の左右方向を二次熱交換器１０の左右方向とし、二次熱交換器１０の上下方向及び左右方向と直交する方向を二次熱交換器１０の前後方向とする。また、前方側を前後方向の一方側とし、後方側を前後方向の他方側とし、右方側を左右方向の一方側とし、左方側を左右方向の他方側とする。
【００２１】
二次熱交換器１０は、ガス器具用の潜熱回収型熱交換器の一例に相当し、図３に示すように、ケース３０と、第１伝熱管部１２とを有する。ケース３０は、左右方向に長い箱体３１を有し、箱体３１内が排気ガスの通過空間ＰＳとして構成されている。
【００２２】
箱体３１は、図４に示すように、本体部３２と、蓋部３３と、第１シール部材３４とを備える。本体部３２は、金属板の絞り加工によって上方側が開放した箱状に構成されている。即ち、本体部３２は、絞り加工成形体として構成されている。また、本体部３２の上端部には、第１開口部３５が設けられている。蓋部３３は、第１開口部３５を閉塞する構成で本体部３２に取り付けられる部材である。第１シール部材３４は、本体部３２と蓋部３３との間に介在し、本体部３２と蓋部３３との間の気体の通過を抑制する部材である。
【００２３】
本体部３２は、図５に示すように、通過空間ＰＳを囲む周壁部３６と、周壁部３６の下端側に設けられる底壁部３７とを有する。
【００２４】
周壁部３６には、前後方向一方側に排気ガスの排出口部３８が設けられ、前後方向他方側に通過空間ＰＳを通過する排気ガスの流入口部３９が設けられ、左右方向一方側に第２開口部４０が設けられている。周壁部３６は、前後方向一方側を構成する第１壁部４１と、前後方向他方側を構成する第２壁部４２と、左右方向一方側を構成する第３壁部４３と、左右方向他方側を構成する第４壁部４４とを有する。第１壁部４１には、上述した排出口部３８が設けられ、第２壁部４２には上述した流入口部３９が設けられ、第３壁部４３には上述した第２開口部４０が設けられている。第３壁部４３において、第２開口部４０の周りには、複数の第１被連結部４５が形成されている。第１被連結部４５の各々は、後述する第１連結部材５４が連結される部分であり、雌ねじ状をなしている。
【００２５】
複数の第１被連結部４５は、周壁部３６の下端側の領域に設けられた第１被連結部４５Ａ，４５Ｂと、周壁部３６の上端側の領域に設けられた第１被連結部４５Ｃと、周壁部３６の前後方向一方側の領域に設けられた第１被連結部４５Ｄ，４５Ｅと、周壁部３６の前後方向他方側の領域に設けられた第１被連結部４５Ｆ，４５Ｇとを有する。第１被連結部４５Ａ，４５Ｂは、互いに前後方向に離れて設けられている。第１被連結部４５Ｃは、前後方向において、第１被連結部４５Ａと第１被連結部４５Ｂの間の位置に設けられている。第１被連結部４５Ｄ，４５Ｅは、互いに上下方向に離れて設けられている。第１被連結部４５Ｆ，４５Ｇは、互いに上下方向に離れて設けられている。
【００２６】
底壁部３７は、張出部４７と、溝部４８とを有する。張出部４７は、底壁部３７の略中央において溝部４８に対して上方側に張り出した形態をなしている。溝部４８は、張出部４７の周囲に設けられており、底壁部３７の外周部を構成している。底壁部３７（具体的には溝部４８）の前後方向一方側には、底壁部３７を上下方向に貫通するドレン孔４９（図１２参照）が形成されており、このドレン孔４９を介して、潜熱の回収によって生じたドレンが排出される。底壁部３７は、前後方向一方側に向けて下方側に傾いて配置される。
【００２７】
ケース３０は、図４及び図６に示すように、第１閉塞部材５０、第２シール部材５１、第１ヘッダ５２、第２ヘッダ５３、第１連結部材５４、ドレン継手２６などを有する。
第１閉塞部材５０は、本体部３２の第２開口部４０を閉塞する部材であり、板状をなしている。第１閉塞部材５０は、複数の第１貫通孔６０を備える第１貫通孔群６１と、複数の第２貫通孔６２を備える第２貫通孔群６３と、第１板状部６４と、第１膨らみ部６５と、第１挿通孔６６とを有する。
【００２８】
第１貫通孔群６１と第２貫通孔群６３は、前後方向に離れて配置されている。第１貫通孔群６１は前後方向一方側に配置され、第２貫通孔群６３は前後方向他方側に配置される。第１貫通孔群６１は、第１貫通孔６０の各々の上下方向の位置をずらした構成且つ第１貫通孔６０の各々を前後方向にずらした構成で配置される。第２貫通孔群６３は、第１貫通孔群６１と同様に、第２貫通孔６２の各々の上下方向の位置をずらした構成且つ第２貫通孔６２の各々を前後方向にずらした構成で配置される。
【００２９】
第１板状部６４は、上下方向及び前後方向に沿って配置される。即ち、第１板状部６４は、上下方向及び前後方向に平行な平面に沿うように配置される。
【００３０】
第１膨らみ部６５は、前後方向において第１閉塞部材５０の略中央に設けられ、第１板状部６４よりも左右方向一方側に向かって膨らんだ形状をなしている。第１膨らみ部６５は左右方向一方側から見た形状が略四角形状をなしている。第１膨らみ部６５は、第１窪み部６５Ａを有している。第１窪み部６５Ａは、第１膨らみ部６５における前後方向の略中央であって且つ上方側の端部に設けられ、下方側に窪んだ形態をなしている。
【００３１】
第１挿通孔６６は、第１連結部材５４が挿し通される孔であり、第１閉塞部材５０（具体的には第１板状部６４）を左右方向に貫通した形状をなしている。複数の第１挿通孔６６の各々は、第１被連結部４５の各々と対応する位置に設けられている。本実施例では、複数の第１挿通孔６６は、第１挿通孔６６Ａ，６６Ｂ，６６Ｃ，６６Ｄ，６６Ｅ，６６Ｆ，６６Ｇを有しており、第１挿通孔６６Ａ，６６Ｂ，６６Ｃ，６６Ｄ，６６Ｅ，６６Ｆ，６６Ｇの各々は、第１被連結部４５Ａ，４５Ｂ，４５Ｃ，４５Ｄ，４５Ｅ，４５Ｆ，４５Ｇの各々の位置に対応して設けられている。
【００３２】
第１挿通孔６６Ａ，６６Ｂは、第１膨らみ部６５の下端部よりも下方側に配置されている。第１挿通孔６６Ａは、前後方向において、一方側の端部が第１膨らみ部６５の一方側の端部よりも一方側に配置されるとともに、他方側の端部が第１膨らみ部６５の一方側の端部よりも他方側に配置される。第１挿通孔６６Ｂは、前後方向において、一方側の端部が第１膨らみ部６５の他方側の端部よりも一方側に配置されるとともに、他方側の端部が第１膨らみ部６５の他方側の端部よりも他方側に配置される。第１挿通孔６６Ｃは、前後方向において、第１挿通孔６６Ａと第１挿通孔６６Ｂとの間の領域に設けられている。第１挿通孔６６Ｃは、第１窪み部６５Ａの窪んだ部分に設けられ、第１挿通孔６６Ｃの下方側の端部は、第１膨らみ部６５における第１窪み部６５Ａの前後方向両側の上端部よりも下方側に設けられている。第１挿通孔６６Ｄ，６６Ｅは、第１貫通孔群６１よりも前後方向一方側に設けられている。第１挿通孔６６Ｆ，６６Ｇは、第２貫通孔群６３よりも前後方向他方側に設けられている。
【００３３】
第１板状部６４は、少なくとも前後方向において第１膨らみ部６５を挟んだ両側に設けられている。第１貫通孔群６１は、第１膨らみ部６５よりも前後方向一方側において第１板状部６４に形成されている。第１貫通孔６０の各々は、共通形状をなしており、上下方向の位置をずらした構成で配置されるとともに、前後方向に互い違いにずらした構成で配置されている。第２貫通孔群６３は、第１膨らみ部６５よりも前後方向他方側において第１板状部６４に形成されている。第２貫通孔６２の各々は、共通形状をなしており、上下方向の位置をずらした構成で配置されるとともに、前後方向に互い違いにずらした構成で配置されている。第２貫通孔６２の各々は、上下方向及び前後方向において、第１貫通孔６０の各々と同じようにずらした構成で配置されている。
【００３４】
第２シール部材５１は、環状をなしており、箱体３１と第１閉塞部材５０との間に介在し、箱体３１と第１閉塞部材５０との間の気体の通過を抑制する部材である。
【００３５】
第１ヘッダ５２は、第１伝熱管部１２（具体的には第１伝熱管８０）の上流側と水入口１６側の配管（具体的には、入水管４）の下流側とを接続する部分である。即ち、第１伝熱管部１２（具体的には第１伝熱管８０）の上流側は、第１ヘッダ５２を介して、水入口１６側の配管（具体的には、入水管４）の下流側に接続される。第１ヘッダ５２は、第１ヘッダ本体７０と、第１ヘッダ蓋体７１と、第１ジョイント筒７２とを有する。第１ヘッダ本体７０は、一方側に開口した器状をなしており、底面に第１底孔７０Ａが形成されている。第１底孔７０Ａは、第１貫通孔６０の各々の位置に対応して設けられている。第１ヘッダ蓋体７１は、第１ヘッダ本体７０に取り付けられることで第１ヘッダ本体７０の一方側の開口部分を閉塞する部材であり、第１蓋孔７１Ａが形成されている。第１蓋孔７１Ａは、第１貫通孔６０よりも開口面積が大きく形成されており、第１ヘッダ蓋体７１における上下方向の他方側に設けられている。第１ジョイント筒７２は、自身の筒内が第１蓋孔７１Ａと連通するように第１ヘッダ蓋体７１に取り付けられるとともに、水入口１６側の配管（具体的には、入水管４）の下流側が接続される部材である。第１ヘッダ５２は、第１ヘッダ本体７０に第１ヘッダ蓋体７１を取り付け、第１ヘッダ蓋体７１に第１ジョイント筒７２を取り付けることで組み立てられる。
【００３６】
第２ヘッダ５３は、第１伝熱管部１２（具体的には第１伝熱管８０）の下流側と出湯口１８側の配管（具体的には、第１連結管１５）の上流側とを接続する部分である。即ち、第１伝熱管部１２（具体的には第１伝熱管８０）の下流側は、第２ヘッダ５３を介して、出湯口１８側の配管（具体的には、第１連結管１５）の上流側に接続される。第２ヘッダ５３は、第２ヘッダ本体７３と、第２ヘッダ蓋体７４と、第２ジョイント筒７５とを有する。第２ヘッダ本体７３は、一方側に開口した器状をなしており、底面に第２底孔７３Ａが形成されている。第２底孔７３Ａは、第２貫通孔６２の各々の位置に対応して設けられている。第２ヘッダ蓋体７４は、第２ヘッダ本体７３に取り付けられることで第２ヘッダ本体７３の一方側の開口部分を閉塞する部材であり、第２蓋孔７４Ａが形成されている。第２蓋孔７４Ａは、第２貫通孔６２よりも開口面積が大きく形成されており、第２ヘッダ蓋体７４における上方側に設けられている。また、第２蓋孔７４Ａは、第１蓋孔７１Ａよりも上方側に設けられている。第２ジョイント筒７５は、自身の筒内が第２蓋孔７４Ａと連通するように第２ヘッダ蓋体７４に取り付けられるとともに、出湯口１８側の配管（具体的には、第１連結管１５）の上流側が接続される部材である。第２ヘッダ５３は、第２ヘッダ本体７３に第２ヘッダ蓋体７４を取り付け、第２ヘッダ蓋体７４に第２ジョイント筒７５を取り付けることで組み立てられる。なお、第２ヘッダ本体７３は第１ヘッダ本体７０と共通形状をなしており、第２ジョイント筒７５は第１ジョイント筒７２と共通形状をなしている。
【００３７】
第１連結部材５４は、第１閉塞部材５０と周壁部３６とを連結する部材であり、例えば、金属製のねじとして構成されている。複数の第１連結部材５４の各々は、第１閉塞部材５０の第１挿通孔６６に挿通され、第１被連結部４５に連結される。具体的には、複数の第１連結部材５４は、第１連結部材５４Ａ，５４Ｂ，５４Ｃ，５４Ｄ，５４Ｅ，５４Ｆ，５４Ｇを有しており、第１連結部材５４Ａは第１挿通孔６６Ａに挿通されて第１被連結部４５Ａに連結され、第１連結部材５４Ｂは第１挿通孔６６Ｂに挿通されて第１被連結部４５Ｂに連結され、第１連結部材５４Ｃは第１挿通孔６６Ｃに挿通されて第１被連結部４５Ｃに連結され、第１連結部材５４Ｄは第１挿通孔６６Ｄに挿通されて第１被連結部４５Ｄに連結され、第１連結部材５４Ｅは第１挿通孔６６Ｅに挿通されて第１被連結部４５Ｅに連結され、第１連結部材５４Ｆは第１挿通孔６６Ｆに挿通されて第１被連結部４５Ｆに連結され、第１連結部材５４Ｆは第１挿通孔６６Ｆに挿通されて第１被連結部４５Ｆに連結され、第１連結部材５４Ｇは第１挿通孔６６Ｇに挿通されて第１被連結部４５Ｇに連結される。第１連結部材５４が第１被連結部４５に連結された状態では、第１閉塞部材５０が箱体３１（具体的には第３壁部４３）と第１連結部材５４のねじ頭部とに挟まれた状態となり、第１閉塞部材５０が箱体３１（具体的には第３壁部４３）に連結される。
【００３８】
ドレン継手２６は、ケース３０における前後方向一方側であって、且つケース３０における下方側の面に設けられ、ケース３０の内部に形成された通過空間ＰＳに連通している。
【００３９】
第１伝熱管部１２は、ケース３０内に収容される複数の第１伝熱管８０を備える。第１伝熱管８０は、所定の平面方向に沿って蛇行するように延びている。第１伝熱管８０の各々は共通形状をなしている。第１伝熱管８０は、図７に示すように、第１接続部８１と、第２接続部８２と、複数（本実施例では６つ）の第１直線状管部８３と、少なくとも１つ（本実施例では５つ）の第１屈曲部８４とを有する。
第１伝熱管８０は、第１直線状管部８３の配列方向における中心線を軸として非回転対称な形態をなしている。即ち、第１伝熱管８０は、第１直線状管部８３の配列方向における中心線を軸として１８０°回転させた場合に、軸方向から見た形態が、回転前と回転後とで異なる。
【００４０】
第１接続部８１は、上流側の配管（具体的には、入水管４）又は下流側の配管（具体的には、第１連結管１５）に接続される部分であり、第１伝熱管８０の一端側に設けられている。第２接続部８２は、上流側の配管（具体的には、入水管４）又は下流側の配管（具体的には、第１連結管１５）に接続される部分であり、第１伝熱管８０の他端側に設けられている。第１接続部８１及び第２接続部８２は、互いに第１直線状管部８３の配列方向に離間して配置されており、第１直線状管部８３の伸長方向における同じ側に配置されている。
【００４１】
第１直線状管部８３の各々は、互いに並列に配置される。図７に示す６つの第１直線状管部８３は、第１接続部８１側から順に、第１直線状管部８３Ａ，８３Ｂ，８３Ｃ，８３Ｄ，８３Ｅ，８３Ｆとする。第１直線状管部８３は、左右方向に沿って延びるように配置される。第１直線状管部８３Ａは第１接続部８１に接続され、第１直線状管部８３Ｆは第２接続部８２に接続される。
【００４２】
図７に示す５つの第１屈曲部８４は、第１接続部８１側から順に、第１屈曲部８４Ａ，８４Ｂ，８４Ｃ，８４Ｄ，８４Ｅとする。第１屈曲部８４は、第１直線状管部８３同士を連結させる部分である。第１屈曲部８４Ａは、第１直線状管部８３Ａ，８３Ｂを互いに連結させ、第１屈曲部８４Ｂは、第１直線状管部８３Ｂ，８３Ｃを互いに連結させ、第１屈曲部８４Ｃは、第１直線状管部８３Ｃ，８３Ｄを互いに連結させ、第１屈曲部８４Ｄは、第１直線状管部８３Ｄ，８３Ｅを互いに連結させ、第１屈曲部８４Ｅは、第１直線状管部８３Ｅ，８３Ｆを互いに連結させる。第１屈曲部８４Ｂ，８４Ｃ，８４Ｄ，８４Ｅの長さは、第１直線状管部８３の配列方向において同じである。第１屈曲部８４Ａの長さは、第１直線状管部８３の配列方向において他の第１屈曲部８４Ｂ，８４Ｃ，８４Ｄ，８４Ｅの長さとは異なる。具体的には、第１屈曲部８４Ａの長さは、第１直線状管部８３の配列方向において他の第１屈曲部８４Ｂ，８４Ｃ，８４Ｄ，８４Ｅの長さよりも長い。複数の第１屈曲部８４のうち第１接続部８１側から奇数個目の第１屈曲部８４（具体的には第１屈曲部８４Ａ，８４Ｃ，８４Ｅ）は、偶数個目の第１屈曲部８４（具体的には第１屈曲部８４Ｂ，８４Ｄ）よりも第１閉塞部材５０側に配置される。
【００４３】
第１直線状管部８３Ａと第１直線状管部８３Ｂとの間の隙間の間隔はＷ１であり、他の第１直線状管部８３同士の隙間の間隔Ｗ２（具体的には、第１直線状管部８３Ｂと第１直線状管部８３Ｃとの間の隙間の間隔Ｗ２、第１直線状管部８３Ｃと第１直線状管部８３Ｄとの間の隙間の間隔Ｗ２、第１直線状管部８３Ｄと第１直線状管部８３Ｅとの間の隙間の間隔Ｗ２、第１直線状管部８３Ｅと第１直線状管部８３Ｆとの間の隙間の間隔Ｗ２）よりも長い。
【００４４】
また、図５に示すように、周壁部３６における左右方向他方側（具体的には第４壁部４４）には、周壁部３６（具体的には第４壁部４４）を貫通した第３開口部１４０が設けられている。第４壁部４４において、第３開口部１４０の周りには、複数の第２被連結部１４５が形成されている。第２被連結部１４５の各々は、後述する第２連結部材１５４が連結される部分であり、雌ねじ状をなしている。
複数の第２被連結部１４５は、周壁部３６の下端側の領域に設けられた第２被連結部１４５Ａ，１４５Ｂと、周壁部３６の上端側の領域に設けられた第２被連結部１４５Ｃと、周壁部３６の前後方向一方側の領域に設けられた第２被連結部１４５Ｄ，１４５Ｅと、周壁部３６の前後方向他方側の領域に設けられた第２被連結部１４５Ｆ，１４５Ｇとを有する。第２被連結部１４５Ａ，１４５Ｂは、互いに前後方向に離れて設けられている。第２被連結部１４５Ｃは、前後方向において、第２被連結部１４５Ａと第２被連結部１４５Ｂの間の位置に設けられている。第２被連結部１４５Ｄ，１４５Ｅは、互いに上下方向に離れて設けられている。第２被連結部１４５Ｆ，１４５Ｇは、互いに上下方向に離れて設けられている。
【００４５】
また、ケース３０は、図４及び図８に示すように、第２閉塞部材１５０、第３シール部材１５１、第３ヘッダ１５２、第４ヘッダ１５３、第２連結部材１５４、仕切板５５などを有する。二次熱交換器１０は、第２伝熱管部１１２を備える。
【００４６】
第２閉塞部材１５０は、本体部３２の第３開口部１４０を閉塞する部材であり、板状をなしている。第２閉塞部材１５０は、複数の第３貫通孔１６０を備える第３貫通孔群１６１と、複数の第４貫通孔１６２を備える第４貫通孔群１６３と、第２板状部１６４と、第２膨らみ部１６５と、第２挿通孔１６６とを有する。第２閉塞部材１５０は、第１閉塞部材５０と共通形状をなしている。
【００４７】
第３貫通孔群１６１と第４貫通孔群１６３は、前後方向に離れて配置されている。第３貫通孔群１６１は前後方向一方側に配置され、第４貫通孔群１６３は前後方向他方側に配置される。第３貫通孔群１６１は、第３貫通孔１６０の各々の上下方向の位置をずらした構成且つ第３貫通孔１６０の各々を前後方向にずらした構成で配置される。第４貫通孔群１６３は、第３貫通孔群１６１と同様に、第４貫通孔１６２の各々の上下方向の位置をずらした構成且つ第４貫通孔１６２の各々を前後方向にずらした構成で配置される。
【００４８】
第２板状部１６４は、上下方向及び前後方向に沿って配置される。即ち、第２板状部１６４は、上下方向及び前後方向に平行な平面に沿うように配置される。
【００４９】
第２膨らみ部１６５は、前後方向において第２閉塞部材１５０の略中央に設けられ、第２板状部１６４よりも左右方向の他方側に向かって膨らんだ形状をなしている。第２膨らみ部１６５は左右方向一方側から見た形状が略四角形状をなしている。第２膨らみ部１６５は、第２窪み部１６５Ａを有している。第２窪み部１６５Ａは、第２膨らみ部１６５における前後方向の略中央であって且つ上方側の端部に設けられ、下方側に窪んだ形態をなしている。
【００５０】
第２挿通孔１６６は、第２連結部材１５４が挿し通される孔であり、第２閉塞部材１５０（具体的には第２板状部１６４）を左右方向に貫通した形状をなしている。複数の第２挿通孔１６６の各々は、第２被連結部１４５の各々と対応する位置に設けられている。本実施例では、複数の第２挿通孔１６６は、第２挿通孔１６６Ａ，１６６Ｂ，１６６Ｃ，１６６Ｄ，１６６Ｅ，１６６Ｆ，１６６Ｇを有しており、第２挿通孔１６６Ａ，１６６Ｂ，１６６Ｃ，１６６Ｄ，１６６Ｅ，１６６Ｆ，１６６Ｇの各々は、第２被連結部１４５Ａ，１４５Ｂ，１４５Ｃ，１４５Ｄ，１４５Ｅ，１４５Ｆ，１４５Ｇの各々の位置に対応して設けられている。
【００５１】
第２挿通孔１６６Ａ，１６６Ｂは、第２膨らみ部１６５の下端部よりも下方側に配置されている。第２挿通孔１６６Ａは、前後方向において、一方側の端部が第２膨らみ部１６５の一方側の端部よりも一方側に配置されるとともに、他方側の端部が第２膨らみ部１６５の一方側の端部よりも他方側に配置される。第２挿通孔１６６Ｂは、前後方向において、一方側の端部が第２膨らみ部１６５の他方側の端部よりも一方側に配置されるとともに、他方側の端部が第２膨らみ部１６５の他方側の端部よりも他方側に配置される。第２挿通孔１６６Ｃは、前後方向において、第２挿通孔１６６Ａと第２挿通孔１６６Ｂとの間の領域に設けられている。第２挿通孔１６６Ｃは、第２窪み部１６５Ａの窪んだ部分に設けられ、第２挿通孔１６６Ｃの下方側の端部は、第２膨らみ部１６５における第２窪み部１６５Ａの前後方向両側の上端部よりも下方側に設けられている。第２挿通孔１６６Ｄ，１６６Ｅは、第３貫通孔群１６１よりも前後方向一方側に設けられている。第２挿通孔１６６Ｆ，１６６Ｇは、第４貫通孔群１６３よりも前後方向他方側に設けられている。
【００５２】
第２板状部１６４は、少なくとも前後方向において第２膨らみ部１６５を挟んだ両側に設けられる。第３貫通孔群１６１は、第２膨らみ部１６５よりも前後方向一方側において第２板状部１６４に形成されている。第３貫通孔１６０の各々は、共通形状をなしており、上下方向の位置をずらした構成で配置されるとともに、前後方向に互い違いにずらした構成で配置されている。第４貫通孔群１６３は、第２膨らみ部１６５よりも前後方向他方側において第２板状部１６４に形成されている。第４貫通孔１６２の各々は、共通形状をなしており、上下方向の位置をずらした構成で配置されるとともに、前後方向に互い違いにずらした構成で配置されている。第４貫通孔１６２の各々は、上下方向及び前後方向において、第３貫通孔１６０の各々と同じようにずらした構成で配置されている。
【００５３】
第３シール部材１５１は、環状をなしており、箱体３１と第２閉塞部材１５０との間に介在し、箱体３１と第２閉塞部材１５０との間の気体の通過を抑制する部材である。
【００５４】
第３ヘッダ１５２は、第２伝熱管部１１２の上流側と入口１１６側の配管（具体的には、往き配管１０４）の下流側とを接続する部分である。即ち、第２伝熱管部１１２の上流側は、第３ヘッダ１５２を介して、入口１１６側の配管（具体的には、往き配管１０４）の下流側に接続される。第３ヘッダ１５２は、第３ヘッダ本体１７０と、第３ヘッダ蓋体１７１と、第３ジョイント筒１７２とを有する。第３ヘッダ本体１７０は、一方側に開口した器状をなしており、底面に第３底孔１７０Ａが形成されている。第３底孔１７０Ａは、第３貫通孔１６０の各々の位置に対応して設けられている。第３ヘッダ蓋体１７１は、第３ヘッダ本体１７０に取り付けられることで第３ヘッダ本体１７０の一方側の開口部分を閉塞する部材であり、第３蓋孔１７１Ａが形成されている。第３蓋孔１７１Ａは、第３貫通孔１６０よりも開口面積が大きく形成されており、第３ヘッダ蓋体１７１における下方側に設けられている。第３ジョイント筒１７２は、自身の筒内が第３蓋孔１７１Ａと連通するように第３ヘッダ蓋体１７１に取り付けられるとともに、入口１１６側の配管（具体的には、往き配管１０４）の下流側が接続される部材である。第３ヘッダ１５２は、第３ヘッダ本体１７０に第３ヘッダ蓋体１７１を取り付け、第３ヘッダ蓋体１７１に第３ジョイント筒１７２を取り付けることで組み立てられる。第３ヘッダ１５２は、第１ヘッダ５２と共通形状をなしている。
【００５５】
第４ヘッダ１５３は、第２伝熱管部１１２の下流側と出口１１８側の配管（具体的には、第２連結管１１５）の上流側とを接続する部分である。即ち、第２伝熱管部１１２の下流側は、第４ヘッダ１５３を介して、出口１１８側の配管（具体的には、第２連結管１１５）の上流側に接続される。第４ヘッダ１５３は、第４ヘッダ本体１７３と、第４ヘッダ蓋体１７４と、第４ジョイント筒１７５とを有する。第４ヘッダ本体１７３は、一方側に開口した器状をなしており、底面に第４底孔１７３Ａが形成されている。第４底孔１７３Ａは、第４貫通孔１６２の各々の位置に対応して設けられている。第４ヘッダ蓋体１７４は、第４ヘッダ本体１７３に取り付けられることで第４ヘッダ本体１７３の一方側の開口部分を閉塞する部材であり、第４蓋孔１７４Ａが形成されている。第４蓋孔１７４Ａは、第４貫通孔１６２よりも開口面積が大きく形成されており、第４ヘッダ蓋体１７４における上方側に設けられている。また、第４蓋孔１７４Ａは、第３蓋孔１７１Ａよりも上方側に設けられている。第４ジョイント筒１７５は、自身の筒内が第４蓋孔１７４Ａと連通するように第４ヘッダ蓋体１７４に取り付けられるとともに、出口１１８側の配管（具体的には、第２連結管１１５）の上流側が接続される部材である。第４ヘッダ１５３は、第４ヘッダ本体１７３に第４ヘッダ蓋体１７４を取り付け、第４ヘッダ蓋体１７４に第４ジョイント筒１７５を取り付けることで組み立てられる。なお、第４ヘッダ本体１７３は第３ヘッダ本体１７０と共通形状をなしており、第４ジョイント筒１７５は第３ジョイント筒１７２と共通形状をなしている。第４ヘッダ１５３は、第２ヘッダ５３と共通形状をなしている。
【００５６】
第２連結部材１５４は、第２閉塞部材１５０と周壁部３６とを連結する部材であり、例えば、金属製のねじとして構成されている。第２連結部材１５４の各々は、第２閉塞部材１５０の第２挿通孔１６６に挿通され、第２被連結部１４５に連結される。具体的には、複数の第２連結部材１５４は、第２連結部材１５４Ａ，１５４Ｂ，１５４Ｃ，１５４Ｄ，１５４Ｅ，１５４Ｆ，１５４Ｇを有しており、第２連結部材１５４Ａは第２挿通孔１６６Ａに挿通されて第２被連結部１４５Ａに連結され、第２連結部材１５４Ｂは第２挿通孔１６６Ｂに挿通されて第２被連結部１４５Ｂに連結され、第２連結部材１５４Ｃは第２挿通孔１６６Ｃに挿通されて第２被連結部１４５Ｃに連結され、第２連結部材１５４Ｄは第２挿通孔１６６Ｄに挿通されて第２被連結部１４５Ｄに連結され、第２連結部材１５４Ｅは第２挿通孔１６６Ｅに挿通されて第２被連結部１４５Ｅに連結され、第２連結部材１５４Ｆは第２挿通孔１６６Ｆに挿通されて第２被連結部１４５Ｆに連結され、第２連結部材１５４Ｆは第２挿通孔１６６Ｆに挿通されて第２被連結部１４５Ｆに連結され、第２連結部材１５４Ｇは第２挿通孔１６６Ｇに挿通されて第２被連結部１４５Ｇに連結される。第２連結部材１５４が第２被連結部１４５に連結された状態では、第２閉塞部材１５０が箱体３１（具体的には第４壁部４４）と第２連結部材１５４のねじ頭部とに挟まれた状態となり、第２閉塞部材１５０が箱体３１（具体的には第４壁部４４）に連結される。
【００５７】
第２伝熱管部１１２は、ケース３０内に収容される複数の第２伝熱管１８０を備える。第２伝熱管１８０は、所定の平面方向に沿って蛇行するように延びている。第２伝熱管１８０の各々は共通形状をなしている。第２伝熱管１８０は、図９に示すように、第３接続部１８１と、第４接続部１８２と、複数（本実施例では６つ）の第２直線状管部１８３と、少なくとも１つ（本実施例では５つ）の第２屈曲部１８４とを有する。
【００５８】
第２伝熱管１８０は、第２直線状管部１８３の配列方向における中心線を軸として非回転対称な形態をなしている。即ち、第２伝熱管１８０は、第２直線状管部１８３の配列方向における中心線を軸として１８０°回転させた場合に、軸方向から見た形態が、回転前と回転後とで異なる。第１伝熱管８０と第２伝熱管１８０とは、第１直線状管部８３の伸長方向の長さと第２直線状管部１８３の伸長方向の長さとが異なるのみで、他の構成（例えば管の直径、直線状管部の配列方向の長さ、屈曲部の数など）は同じである。
【００５９】
第３接続部１８１は、上流側の配管（具体的には、往き配管１０４）又は下流側の配管（具体的には、第２連結管１１５）に接続される部分であり、第２伝熱管１８０の一端側に設けられている。第４接続部１８２は、上流側の配管（具体的には、往き配管１０４）又は下流側の配管（具体的には、第２連結管１１５）に接続される部分であり、第２伝熱管１８０の他端側に設けられている。第３接続部１８１及び第４接続部１８２は、互いに第２直線状管部１８３の配列方向に離間して配置されており、第２直線状管部１８３の伸長方向における同じ側に配置されている。
【００６０】
第２直線状管部１８３の各々は、互いに並列に配置されている。図９に示す６つの第２直線状管部１８３は、第３接続部１８１側から順に、第２直線状管部１８３Ａ，１８３Ｂ，１８３Ｃ，１８３Ｄ，１８３Ｅ，１８３Ｆとする。第２直線状管部１８３は、左右方向に沿って延びるように配置される。第２直線状管部１８３Ａは第３接続部１８１に接続され、第２直線状管部１８３Ｆは第４接続部１８２に接続される。第２直線状管部１８３の長さは、第１直線状管部８３の長さよりも短い。即ち、第２伝熱管１８０の方が、第１伝熱管８０よりも全長が短い。
【００６１】
図９に示す５つの第２屈曲部１８４は、第３接続部１８１側から順に、第２屈曲部１８４Ａ，１８４Ｂ，１８４Ｃ，１８４Ｄ，１８４Ｅとする。第２屈曲部１８４は、第２直線状管部１８３同士を連結させる部分である。第２屈曲部１８４Ａは、第２直線状管部１８３Ａ，１８３Ｂを互いに連結させ、第２屈曲部１８４Ｂは、第２直線状管部１８３Ｂ，１８３Ｃを互いに連結させ、第２屈曲部１８４Ｃは、第２直線状管部１８３Ｃ，１８３Ｄを互いに連結させ、第２屈曲部１８４Ｄは、第２直線状管部１８３Ｄ，１８３Ｅを互いに連結させ、第２屈曲部１８４Ｅは、第２直線状管部１８３Ｅ，１８３Ｆを互いに連結させる。第２屈曲部１８４Ｂ，１８４Ｃ，１８４Ｄ，１８４Ｅの長さは、第２直線状管部１８３の配列方向において同じである。第２屈曲部１８４Ａの長さは、第２直線状管部１８３の配列方向において他の第２屈曲部１８４Ｂ，１８４Ｃ，１８４Ｄ，１８４Ｅの長さとは異なる。具体的には、第２屈曲部１８４Ａの長さは、第２直線状管部１８３の配列方向において他の第２屈曲部１８４Ｂ，１８４Ｃ，１８４Ｄ，１８４Ｅの長さよりも長い。複数の第２屈曲部１８４のうち第３接続部１８１側から奇数個目の第２屈曲部１８４（具体的には第２屈曲部１８４Ａ，１８４Ｃ，１８４Ｅ）は、偶数個目の第２屈曲部１８４（具体的には第２屈曲部１８４Ｂ，１８４Ｄ）よりも第２閉塞部材１５０側に配置される。
【００６２】
第２直線状管部１８３Ａと第２直線状管部１８３Ｂとの間の隙間の間隔はＷ３であり、他の第２直線状管部１８３同士の隙間の間隔Ｗ４（具体的には、第２直線状管部１８３Ｂと第２直線状管部１８３Ｃとの間の隙間の間隔Ｗ４、第２直線状管部１８３Ｃと第２直線状管部１８３Ｄとの間の隙間の間隔Ｗ４、第２直線状管部１８３Ｄと第２直線状管部１８３Ｅとの間の隙間の間隔Ｗ４、第２直線状管部１８３Ｅと第２直線状管部１８３Ｆとの間の隙間の間隔Ｗ４）よりも長い。
【００６３】
仕切板５５は、箱体３１内を仕切る部材である。上述した排出口部３８は、排気ガスの第１排出領域３８Ａ及び第２排出領域３８Ｂとして機能する。第１排出領域３８Ａ及び第２排出領域３８Ｂは、第３方向に並んで設けられる。第２排出領域３８Ｂは、第１排出領域３８Ａよりも第３方向の他方側に設けられる。上述した流入口部３９は、排気ガスの第１流入口３９Ａ及び第２流入口３９Ｂとして機能する。第１流入口３９Ａ及び第２流入口３９Ｂは、第３方向に並んで設けられる。第２流入口３９Ｂは、第１流入口３９Ａよりも第３方向の他方側に設けられる。仕切板５５は、第１流入口３９Ａと排出口部３８（第１排出領域３８Ａ）の間に構成される第１通過空間ＰＳ１と、第２流入口３９Ｂと排出口部３８（第２排出領域３８Ｂ）の間に構成される第２通過空間ＰＳ２と、を仕切る構成で配置される。
【００６４】
仕切板５５は、仕切部５６と、下面部５７と、上面部５８とを有する。仕切部５６は、第１通過空間ＰＳ１と第２通過空間ＰＳ２とを仕切る部分である。下面部５７は、仕切部５６の下端部に連結され、仕切部５６に対して交差（例えば直交）する方向に延びる部分である。上面部５８は、仕切部５６の上端部に連結され、仕切部５６に対して交差（例えば直交）する方向に延びる部分である。仕切板５５は、下面部５７が底壁部３７の上面に載置された状態で配置される。
【００６５】
（二次熱交換器１０の製造方法）
次に、図１０、図１１及び図１２を用いて、二次熱交換器１０の製造方法について説明する。二次熱交換器１０の製造方法は、図１０のフローチャートに示すように、第１形成工程（ステップＳ１１）、第２形成工程（ステップＳ１２）、第３形成工程（ステップＳ１３）、第４形成工程（ステップＳ１４）、第５形成工程（ステップＳ１５）、取付工程（ステップＳ１６）、第１固定工程（ステップＳ１７）、第２固定工程（ステップＳ１８）、第３固定工程（ステップＳ１９）、第４固定工程（ステップＳ２０）と、を含む。なお、各工程が行われる順序は、明示的な限定が無い限り問わない。
【００６６】
第１形成工程では、本体部３２を金属板の絞り加工によって形成する。
【００６７】
第２形成工程では、周壁部３６において、第２方向の一方側に排気ガスの第１排出領域３８Ａ及び第２排出領域３８Ｂとして機能する排出口部３８を形成し、第２方向の他方側に排気ガスの第１流入口３９Ａ及び第２流入口３９Ｂとして機能する流入口部３９を形成し、第３方向の一方側に第２開口部４０を形成し、第３方向の他方側に第３開口部１４０を形成し、第１流入口３９Ａと第２流入口３９Ｂとを第３方向に並べて設ける。排出口部３８、流入口部３９、第２開口部４０及び第３開口部１４０は、例えば打ち抜き加工や切削加工によって形成される。本実施例では、第１排出領域３８Ａ及び第２排出領域３８Ｂを一体成形しているが、別々に形成するようにしてもよい。また、本実施例では、第１流入口３９Ａ及び第２流入口３９Ｂを別々に形成しているが、１つの流入口としてもよい。
【００６８】
第３形成工程では、例えば金属板を加工することによって、板状の第１閉塞部材５０を形成する。第１閉塞部材５０には、複数の第１貫通孔６０を備える第１貫通孔群６１と、複数の第２貫通孔６２を備える第２貫通孔群６３と、が形成される。第１貫通孔群６１と第２貫通孔群６３とは前後方向に離れて配置される。第１閉塞部材５０には、第１挿通孔６６が形成される。第１貫通孔群６１、第２貫通孔群６３及び第１挿通孔６６は、例えば打ち抜き加工や切削加工によって形成される。第１閉塞部材５０には、第１膨らみ部６５が形成される。第１膨らみ部６５は、例えば絞り加工によって形成される。
【００６９】
第４成形工程では、例えば金属板を加工することによって、板状の第２閉塞部材１５０を形成する。第２閉塞部材１５０には、複数の第３貫通孔１６０を備える第３貫通孔群１６１と、複数の第４貫通孔１６２を備える第４貫通孔群１６３と、が形成される。第３貫通孔群１６１と第４貫通孔群１６３とは前後方向に離れて配置される。第２閉塞部材１５０には、第２挿通孔１６６が形成される。第３貫通孔群１６１、第４貫通孔群１６３及び第２挿通孔１６６は、例えば打ち抜き加工や切削加工によって形成される。第２閉塞部材１５０には、第２膨らみ部１６５が形成される。第２膨らみ部１６５は、例えば絞り加工によって形成される。
【００７０】
第５形成工程では、例えば金属板を加工することによって、箱体３１内を仕切る仕切板５５を形成する。仕切板５５の下面部５７及び上面部５８は、例えば曲げ加工によって形成される。
取付工程では、第１通過空間ＰＳ１と第２通過空間ＰＳ２とを仕切る構成で、ケース３０内に仕切板５５を取り付ける。仕切板５５は、下面部５７を底壁部３７の上面に載置することでケース３０内に取り付けられる。
【００７１】
第１固定工程では、図１１に示すように、複数の第１伝熱管８０において、各々の前後方向一方側を第１貫通孔群６１の各々の第１貫通孔６０と対応付けて取り付け、各々の前後方向他方側を第２貫通孔群６３の各々の第２貫通孔６２と対応付けて取り付け、各々の第１屈曲部８４が第１閉塞部材５０に近接して配置される構成で、複数の第１伝熱管８０を第１閉塞部材５０に固定する。本実施例では、第１伝熱管８０の各々の前後方向一方側の端部を第１貫通孔群６１の各々の第１貫通孔６０に挿通させ、第１伝熱管８０の各々の前後方向他方側の端部を第２貫通孔群６３の各々の第２貫通孔６２に挿通させた状態で、例えば溶接やロウ付けによって第１伝熱管８０の各々を第１閉塞部材５０に固定する。これにより、第１伝熱管部１２と第１閉塞部材５０とが一体的に組み付けられた第１組付体９０が作製される。
【００７２】
また、複数の第１伝熱管８０は、第１接続部８１が前後方向一方側に配置されるとともに第２接続部８２が前後方向他方側に配置される第１姿勢、又は第２接続部８２が前後方向一方側に配置されるとともに第１接続部８１が前後方向他方側に配置される第２姿勢で第１閉塞部材５０に固定され得る。第２姿勢は、第１姿勢の第１接続部８１の姿勢を裏返した姿勢と捉えることもできる。第１姿勢の第１伝熱管８０Ａは、前後方向一方側の端部（具体的には第１接続部８１）が前後方向にずらして設けられた複数の第１貫通孔６０のうち前後方向一方側の第１貫通孔６０に挿通され、前後方向他方側の端部（具体的には第２接続部８２）が前後方向にずらして設けられた複数の第２貫通孔６２のうち前後方向一方側の第２貫通孔６２に挿通される。即ち、第１姿勢の第１伝熱管８０Ａは、第２姿勢の第１伝熱管８０Ｂに対して、前後方向一方側にずれた位置に配置される。複数の第１伝熱管８０は、上下方向に沿って第１姿勢の第１伝熱管８０Ａと第２姿勢の第１伝熱管８０Ｂとが交互に配置されるように第１閉塞部材５０に固定される。これにより、複数の第１伝熱管８０Ａは、給湯装置１の上下方向に沿って配置される。
【００７３】
また、第１ヘッダ５２は、第１貫通孔群６１の各々に挿通された第１伝熱管８０の端部に自身の第１底孔７０Ａを挿通させて、溶接やロウ付けによって第１伝熱管８０に固定される（図３、図１２参照）。第２ヘッダ５３は、第２貫通孔群６３の各々に挿通された第１伝熱管８０の端部に自身の第２底孔７３Ａを挿通させて、溶接やロウ付けによって第１伝熱管８０に固定される（図３、図１２参照）。
【００７４】
第２固定工程では、図１１に示すように、複数の第２伝熱管１８０において、各々の前後方向一方側を第３貫通孔群１６１の各々の第３貫通孔１６０と対応付けて取り付け、各々の前後方向他方側を第４貫通孔群１６３の各々の第４貫通孔１６２と対応付けて取り付け、各々の第２屈曲部１８４が第２閉塞部材１５０に近接して配置される構成で、複数の第２伝熱管１８０を第２閉塞部材１５０に固定する。本実施例では、第２伝熱管１８０の各々の前後方向一方側の端部を第３貫通孔群１６１の各々の第３貫通孔１６０に挿通させ、第２伝熱管１８０の各々の前後方向他方側の端部を第４貫通孔群１６３の各々の第４貫通孔１６２に挿通させた状態で、例えば溶接やロウ付けによって第２伝熱管１８０の各々を第２閉塞部材１５０に固定する。これにより、第２伝熱管部１１２と第２閉塞部材１５０とが一体的に組み付けられた第２組付体１９０が作製される。
【００７５】
また、複数の第２伝熱管１８０は、第３接続部１８１が前後方向一方側に配置されるとともに第４接続部１８２が前後方向他方側に配置される第３姿勢、又は第４接続部１８２が前後方向一方側に配置されるとともに第３接続部１８１が前後方向他方側に配置される第４姿勢で第２閉塞部材１５０に固定され得る。第４姿勢は、第３姿勢の第３接続部１８１の姿勢を裏返した姿勢と捉えることもできる。第３姿勢の第２伝熱管１８０Ａは、前後方向一方側の端部（具体的には第３接続部１８１）が前後方向にずらして設けられた複数の第３貫通孔１６０のうち前後方向一方側の第３貫通孔１６０に挿通され、前後方向他方側の端部（具体的には第４接続部１８２）が前後方向にずらして設けられた複数の第４貫通孔１６２のうち前後方向一方側の第４貫通孔１６２に挿通される。即ち、第３姿勢の第２伝熱管１８０Ａは、第４姿勢の第２伝熱管１８０Ｂに対して、前後方向一方側にずれた位置に配置される。複数の第２伝熱管１８０は、上下方向に沿って第３姿勢の第２伝熱管１８０Ａと第４姿勢の第２伝熱管１８０Ｂとが交互に配置されるように第２閉塞部材１５０に固定される。これにより、複数の第２伝熱管１８０Ａは、給湯装置１の上下方向に沿って配置される。
【００７６】
また、第３ヘッダ１５２は、第３貫通孔群１６１の各々に挿通された第２伝熱管１８０の端部に自身の第３底孔１７０Ａを挿通させて、溶接やロウ付けによって第２伝熱管１８０に固定される。第４ヘッダ１５３は、第４貫通孔群１６３の各々に挿通された第２伝熱管１８０の端部に自身の第４底孔１７３Ａを挿通させて、溶接やロウ付けによって第２伝熱管１８０に固定される。
【００７７】
第３固定工程では、図１２に示すように、第１伝熱管部１２と第１閉塞部材５０とが一体的に組み付けられた第１組付体９０が、第２開口部４０から箱体３１内に複数の第１伝熱管８０を挿入する構成且つ第２開口部４０を第１閉塞部材５０によって閉塞する構成で配置されつつ、第１連結部材５４によって第１閉塞部材５０が周壁部３６に固定される。具体的には、第１伝熱管部１２を第２開口部４０から箱体３１内に挿入し、第２開口部４０を第１閉塞部材５０によって閉塞し、第１閉塞部材５０の第１挿通孔６６に挿通させた第１連結部材５４を第１被連結部４５に連結させる。このとき、第１伝熱管部１２における第１閉塞部材５０側とは反対側の第１端部９２を第１通過空間ＰＳ１内において仕切板５５の仕切部５６に近接させる。また、第１伝熱管８０の各々は前後方向一方側が下方側に傾いた状態で配置される。
【００７８】
第４固定工程では、図１２に示すように、第２伝熱管部１１２と第２閉塞部材１５０とが一体的に組み付けられた第２組付体１９０が、第３開口部１４０から箱体３１内に複数の第２伝熱管１８０を挿入する構成且つ第３開口部１４０を第２閉塞部材１５０によって閉塞する構成で配置されつつ、第２連結部材１５４によって第２閉塞部材１５０が周壁部３６に固定されている。具体的には、第２伝熱管部１１２を第３開口部１４０から箱体３１内に挿入し、第３開口部１４０を第２閉塞部材１５０によって閉塞し、第２閉塞部材１５０の第２挿通孔１６６に挿通させた第２連結部材１５４を第２被連結部１４５に連結させる。これにより、第２組付体１９０が箱体３１に取り付けられる。このとき、第２伝熱管部１１２における第２閉塞部材１５０側とは反対側の第２端部１９２を第２通過空間ＰＳ２内において仕切板５５の仕切部５６に近接させる。また、第２伝熱管１８０の各々は前後方向一方側が下方側に傾いた状態で配置される。
【００７９】
第１組付体９０及び第２組付体１９０が取り付けられた箱体３１の第１開口部３５を蓋部３３によって閉塞する工程が行われる。これらの工程が行われることで二次熱交換器１０が完成する。
【００８０】
（第１連結部材５４と第１重なり部９１との位置関係）
次に、図６及び図１３を用いて、第１連結部材５４と第１重なり部９１との位置関係について説明する。
図１３には、二次熱交換器１０が完成した状態における第１閉塞部材５０、第１連結部材５４Ａ，５４Ｂ，５４Ｃ，５４Ｄ，５４Ｆ、及び第１伝熱管部１２が例示されている。図１３に示すように、複数の第１屈曲部８４のうち左右方向一方側の第１屈曲部８４は、第１閉塞部材５０に近接して配置される。第１閉塞部材５０に近接して配置される第１屈曲部８４は、複数（本実施例では２つ）設けられている。
【００８１】
二次熱交換器１０には、複数の第１伝熱管８０の第１屈曲部８４が第１閉塞部材５０に近接しつつ上下に重なって配置される第１重なり部９１が１以上（本実施例では２つ）設けられている。図１３に示す例では、第１姿勢の第１伝熱管８０Ａの第１屈曲部８４Ｂと、第２姿勢の第１伝熱管８０Ｂの第１伝熱管８０Ｂの第１屈曲部８４Ｄとが上下に重なって配置される第１重なり部９１Ａが設けられている。更に、図１３に示す例では、第１姿勢の第１伝熱管８０Ａの第１屈曲部８４Ｄと、第２姿勢の第１伝熱管８０Ｂの第１屈曲部８４Ｂとが上下に重なって配置される第１重なり部９１Ｂが設けられている。第１重なり部９１は、第１閉塞部材５０の第１膨らみ部６５に近接している。より具体的には、第１重なり部９１は、第１膨らみ部６５内に入り込んでいる。
【００８２】
第１閉塞部材５０の下端側の領域であって、且つ前後方向において第１貫通孔群６１に最も近い第１重なり部９１と第１貫通孔群６１との間の領域には、少なくとも１つ（本実施例では、１つ）の第１連結部材５４が固定されている。図１３に示す例では、第１連結部材５４Ａ（より具体的には、第１連結部材５４Ａの雄ねじ部）が、前後方向において第１貫通孔群６１に最も近い第１重なり部９１Ａと第１貫通孔群６１との間の第１領域ＡＲ１に固定されている。
【００８３】
第１閉塞部材５０の下端側の領域であって、且つ前後方向において第２貫通孔群６３に最も近い第１重なり部９１と第２貫通孔群６３との間の領域には、少なくとも１つ（本実施例では、１つ）の第１連結部材５４が固定されている。図１３に示す例では、第１連結部材５４Ｂ（より具体的には、第１連結部材５４Ｂの雄ねじ部）が、前後方向において第２貫通孔群６３に最も近い第１重なり部９１Ｂと第２貫通孔群６３との間の第２領域ＡＲ２に固定されている。
【００８４】
第１閉塞部材５０の上端側の領域であって、且つ前後方向において第１貫通孔群６１に最も近い第１重なり部９１と第２貫通孔群６３に最も近い第１重なり部９１との間の領域には、少なくとも１つの（本実施例では、１つ）の第１連結部材５４が固定されている。図１３に示す例では、第１連結部材５４Ｃ（より具体的には、第１連結部材５４Ｃの雄ねじ部）が、前後方向において第１貫通孔群６１に最も近い第１重なり部９１Ａと第２貫通孔群６３に最も近い第１重なり部９１Ｂとの間の第３領域ＡＲ３に固定されている。
【００８５】
（第２連結部材１５４と第２重なり部１９１との位置関係）
次に、図８及び図１４を用いて、第２連結部材１５４と第２重なり部１９１との位置関係について説明する。
図１４には、二次熱交換器１０が完成した状態における第２閉塞部材１５０、第２連結部材１５４Ａ，１５４Ｂ，１５４Ｃ，１５４Ｄ，１５４Ｆ、及び第２伝熱管部１１２が例示されている。図１４に示すように、複数の第２屈曲部１８４のうち左右方向一方側の第２屈曲部１８４は、第２閉塞部材１５０に近接して配置される。第２閉塞部材１５０に近接して配置される第２屈曲部１８４は、複数（本実施例では２つ）設けられている。
【００８６】
二次熱交換器１０には、複数の第２伝熱管１８０の第２屈曲部１８４が第２閉塞部材１５０に近接しつつ上下に重なって配置される第２重なり部１９１が１以上（本実施例では２つ）設けられている。図１４に示す例では、第３姿勢の第２伝熱管１８０Ａの第２屈曲部１８４Ｂと、第４姿勢の第２伝熱管１８０Ｂの第２伝熱管１８０Ｂの第２屈曲部１８４Ｄとが上下に重なって配置される第２重なり部１９１Ａが設けられている。更に、図１４に示す例では、第３姿勢の第２伝熱管１８０Ａの第２屈曲部１８４Ｄと、第４姿勢の第２伝熱管１８０Ｂの第２屈曲部１８４Ｂとが上下に重なって配置される第２重なり部１９１Ｂが設けられている。第２重なり部１９１は、第２閉塞部材１５０の第２膨らみ部１６５に近接している。より具体的には、第２重なり部１９１は、第２膨らみ部１６５内に入り込んでいる。
【００８７】
第２閉塞部材１５０の下端側の領域であって、且つ前後方向において第３貫通孔群１６１に最も近い第３重なり部１９１と第３貫通孔群１６１との間の領域には、少なくとも１つ（本実施例では、１つ）の第２連結部材１５４が固定されている。図１４に示す例では、第２連結部材１５４Ａ（より具体的には、第２連結部材１５４Ａの雄ねじ部）が、前後方向において第３貫通孔群１６１に最も近い第２重なり部１９１Ａと第３貫通孔群１６１との間の第４領域ＡＲ４に固定されている。
第２閉塞部材１５０の下端側の領域であって、且つ前後方向において第４貫通孔群１６３に最も近い第２重なり部１９１と第４貫通孔群１６３との間の領域には、少なくとも１つ（本実施例では、１つ）の第２連結部材１５４が固定されている。図１４に示す例では、第２連結部材１５４Ｂ（より具体的には、第２連結部材１５４Ｂの雄ねじ部）が、前後方向において第４貫通孔群１６３に最も近い第２重なり部１９１Ｂと第４貫通孔群１６３との間の第５領域ＡＲ５に固定されている。
第２閉塞部材１５０の上端側の領域であって、且つ前後方向において第３貫通孔群１６１に最も近い第２重なり部１９１と第４貫通孔群１６３に最も近い第２重なり部１９１との間の領域には、少なくとも１つの（本実施例では、１つ）の第２連結部材１５４が固定されている。図１４に示す例では、第２連結部材１５４Ｃ（より具体的には、第２連結部材１５４Ｃの雄ねじ部）が、前後方向において第３貫通孔群１６１に最も近い第２重なり部１９１Ａと第４貫通孔群１６３に最も近い第２重なり部１９１Ｂとの間の第６領域ＡＲ６に固定されている。
【００８８】
（効果）
実施例１の二次熱交換器１０によれば、排気ガスに含まれる潜熱を、第１伝熱管部１２内及び第２伝熱管部１１２内を通る水に伝達することで加熱することができる。
また、この二次熱交換器１０では、複数の第１伝熱管８０の各々の前後方向一方側が第１貫通孔群６１の各々の第１貫通孔６０と対応して取り付けられるので、各々の第１伝熱管８０の表面に付着したドレンが各々の第１貫通孔６０付近から第１閉塞部材５０の内側面を伝って垂れやすい。更に、複数の第１伝熱管８０の第１屈曲部８４が第１閉塞部材５０に近接しつつ上下に重なって配置される第１重なり部９１では、上側の第１伝熱管８０の表面に付着したドレンが下側の第１伝熱管８０を伝って垂れやすい。しかし、本構成では、第１閉塞部材５０の下端側の領域であって、前後方向において第１貫通孔６０群に最も近い第１重なり部９１と第１貫通孔群６１との間の第１領域ＡＲ１に、少なくとも１つの第１連結部材５４（具体的には、第１連結部材５４Ａ）が固定されている。このため、少なくともこの第１連結部材５４（具体的には、第１連結部材５４Ａ）は、第１伝熱管８０の表面から垂れたドレンが接触することを回避しつつ、第１閉塞部材５０の下端側を固定することができる。
【００８９】
更に、この二次熱交換器１０では、複数の第２伝熱管１８０の各々の前後方向一方側が第３貫通孔群１６１の各々の第３貫通孔１６０と対応して取り付けられるので、各々の第２伝熱管１８０の表面に付着したドレンが各々の第３貫通孔１６０付近から第２閉塞部材１５０の内側面を伝って垂れやすい。更に、複数の第２伝熱管１８０の第２屈曲部１８４が第２閉塞部材１５０に近接しつつ上下に重なって配置される第２重なり部１９１では、上側の第２伝熱管１８０の表面に付着したドレンが下側の第２伝熱管１８０を伝って垂れやすい。しかし、本構成では、第２閉塞部材１５０の下端側の領域であって、前後方向において第３貫通孔群１６１に最も近い第２重なり部１９１と第３貫通孔群１６１との間の第４領域ＡＲ４に、少なくとも１つの第２連結部材１５４（具体的には、第２連結部材１５４）が固定されている。このため、少なくともこの第２連結部材１５４（具体的には、第２連結部材１５４Ａ）は、第２伝熱管１８０の表面から垂れたドレンが接触することを回避しつつ、第２閉塞部材１５０の下端側を固定することができる。
【００９０】
したがって、この二次熱交換器１０によれば、第１閉塞部材５０を箱体３１に連結させる第１連結部材５４にドレンが接触することを抑制することができ、且つ第２閉塞部材１５０を箱体３１に連結させる第２連結部材１５４にドレンが接触することを抑制することができる。
【００９１】
更に、この二次熱交換器１０では、第１閉塞部材５０の下端側の領域であって、前後方向において第２貫通孔群６３に最も近い第１重なり部９１（具体的には、第１重なり部９１Ｂ）と第２貫通孔群６３との間の第２領域ＡＲ２にも、少なくとも１つの第１連結部材５４（具体的には、第１連結部材５４Ｂ）が固定される。このため、第１伝熱管８０の表面から垂れたドレンが第１連結部材５４に接触することを抑制しつつ、第１閉塞部材５０の下端側をより安定して固定することができる。
【００９２】
更に、第１重なり部９１が第１膨らみ部６５に近接しているため、ドレンが第１連結部材５４に接触することを抑制し得る構成において、箱体３１の大型化を抑制しつつ、第１伝熱管８０の全長を長くすることができる。
【００９３】
更に、第１重なり部９１は、第１膨らみ部６５内に入り込んでいる。この構成によれば、伝熱管の全長を更に長くすることができる。
【００９４】
更に、二次熱交換器１０によれば、第１閉塞部材５０の下流側の２点と、この２点の間に位置する上端側の１点との合計３点で第１閉塞部材５０を固定することができるので、少ない数の第１連結部材５４で安定して第１閉塞部材５０を固定することができる。
【００９５】
＜他の実施例＞
本発明は上記記述及び図面によって説明した実施例に限定されるものではなく、例えば次のような例も本発明の技術的範囲に含まれる。
【００９６】
上述した実施例では、二次熱交換器１０が第１伝熱管部１２及び第２伝熱管部１１２の両方を備える構成としたが、第１伝熱管部１２及び第２伝熱管部１１２のうち何れか一方のみを備える構成としてもよい。この場合、仕切板５５を設ける必要は無い。また、第１伝熱管部１２及び第２伝熱管部１１２のうち第１伝熱管部１２のみを設ける場合には、第３開口部１４０を設ける必要は無い。また、第１伝熱管部１２及び第２伝熱管部１１２のうち第２伝熱管部１１２のみを設ける場合には、第２開口部４０を設ける必要は無い。
【符号の説明】
【００９７】
１０…二次熱交換器（ガス器具用の潜熱回収型熱交換器）
１２…第１伝熱管部（伝熱管部、第１伝熱管部）
３０…ケース
３１…箱体
３２…本体部
３３…蓋部
３５…第１開口部
３６…周壁部
３７…底壁部
３８…排出口部
３９…流入口部
４０…第２開口部
５０…第１閉塞部材（閉塞部材、第１閉塞部材）
５４…第１連結部材（連結部材、第１連結部材）
６０…第１貫通孔
６１…第１貫通孔群
６２…第２貫通孔
６３…第２貫通孔群
８０…第１伝熱管（伝熱管、第１伝熱管）
９０…第１組付体（組付体、第１組付体）
９１…第１重なり部（重なり部、第１重なり部）
１１２…第２伝熱管部
１４０…第３開口部
１５０…第２閉塞部材
１５４…第２連結部材
１６０…第３貫通孔
１６１…第３貫通孔群
１６２…第４貫通孔
１６３…第４貫通孔群
１８０…第２伝熱管
１９０…第２組付体
１９１…第２重なり部
ＰＳ…通過空間
ＡＲ１…第１領域
ＡＲ２…第２領域
ＡＲ３…第３領域
ＡＲ４…第４領域
【図１】
2020165601.tif 000003
【図２】
2020165601.tif 000004
【図３】
2020165601.tif 000005
【図４】
2020165601.tif 000006
【図５】
2020165601.tif 000007
【図６】
2020165601.tif 000008
【図７】
2020165601.tif 000009
【図８】
2020165601.tif 000010
【図９】
2020165601.tif 000011
【図１０】
2020165601.tif 000012
【図１１】
2020165601.tif 000013
【図１２】
2020165601.tif 000014
【図１３】
2020165601.tif 000015
【図１４】
2020165601.tif 000016